(57)【要約】【課題】サイズの増加を極力抑え、効果的な放熱対策を実施することができる放熱機能を備えた携帯電話機の提供。【解決手段】バイブレータ用モータ２０ａと放熱用モータ２０ｂとを、各々のシャフト２２ａ、２２ｂの回転軸が略一致し、分銅２１とファン３２とが両外側になるように隣接して配置し、バイブレータ用モータ２０ａと放熱用モータ２０ｂの間の軸受け２５ｂを一体化し、かつ、バイブレータ用モータ２０ａの筐体と放熱用モータ２０ｂの筐体とを一体化する。これにより、部品を共有化してスペースを有効に利用することができ、サイズの増加を抑えることができる。また、各々のモータのシャフト２２ａ及びシャフト２２ｂを分離し、各々のモータに電源端子３１ａ〜３１ｄを設けることにより、バイブレータ機能と放熱機能とを独立して制御可能とすることができ、効果的な放熱対策を実施することができる。【選択図】図２
2006261720.tif 000002
【特許請求の範囲】
【請求項１】
シャフトの一方の端部に分銅が固定された、着信を報知するためのバイブレータ用モータを備える携帯電話機において、
更に、シャフトの一方の端部にファンが固定された放熱用モータを備え、
前記バイブレータ用モータと前記放熱用モータとは、各々の前記シャフトの回転軸が略一致し、各々の前記シャフトの他方の端部が向かい合うように配置され、
かつ、前記バイブレータ用モータの筐体と前記放熱用モータの筐体とが一体となって形成されていることを特徴とする携帯電話機。
【請求項２】
シャフトの一方の端部に分銅が固定された、着信を報知するためのバイブレータ用モータを備える携帯電話機において、
更に、シャフトの一方の端部にファンが固定された放熱用モータを備え、
前記バイブレータ用モータと前記放熱用モータとは、各々の前記シャフトの回転軸が略一致し、各々の前記シャフトの他方の端部が向かい合うように配置され、
前記バイブレータ用モータのシャフトの前記他方の端部を支持する軸受けと、前記放熱用モータのシャフトの前記他方の端部を支持する軸受けとが一体となって形成され、
かつ、前記バイブレータ用モータの筐体と前記放熱用モータの筐体とが一体となって形成されていることを特徴とする携帯電話機。
【請求項３】
前記バイブレータ用モータ及び前記放熱用モータの各々に電源を供給するための電源端子を備え、該電源端子により前記バイブレータ用モータと前記放熱用モータとが独立して駆動されることを特徴とする請求項１又は２に記載の携帯電話機。
【発明の詳細な説明】
【技術分野】
【０００１】
本発明は携帯電話機に関し、特に、ファンを回転させて放熱する機能を備える携帯電話機に関する。
【背景技術】
【０００２】
近年の携帯電話機は通話機能やメール通信機能に加えて、カメラ機能、音楽再生機能、ＴＶ放送受信機能などの様々な機能が付加されており、これらの機能を実現するためにＣＰＵの処理能力の向上も図られている。そして、携帯電話機の高機能化および高性能化に伴って内部に実装される電子部品の消費電力が増加し、携帯電話機の温度上昇が問題となっている。
【０００３】
一般にパーソナルコンピュータなどの電子機器では、発熱量の多い電子部品の近傍に放熱用のファンなどを取り付けて筐体内部の熱を外部に放熱するなどして電子部品の温度上昇を防いでいるが、携帯電話機では小型化が求められることから放熱機能を個別に追加するのは困難である。そこで、特開２００４−７２４２０号公報では、ハウジングを振動させて着信を知らせる着信用の振動モータの振動発生用分銅側又はその反対側に、回転・送風により電子部品を冷却する冷却フィンを設ける構造を開示している。
【０００４】
【特許文献１】特開２００４−７２４２０号公報（第１０−１１頁、第６図）
【発明の開示】
【発明が解決しようとする課題】
【０００５】
しかしながら、特許文献１記載の構造では、着信を知らせるためのバイブレータ機能と電子部品を冷却するための放熱機能とを１つのモータで実現しているため、バイブレータ機能と放熱機能とを独立して制御することができないという問題がある。すなわち、上記構造では、放熱の必要がない場合でもバイブレータ機能を動作させる際に冷却フィンが回転して無駄な電力を消費してしまい、また、放熱の必要がある場合でも着信がなければ冷却フィンを回転させることができないという問題がある。
【０００６】
このように、バイブレータ機能と放熱機能とは本来、独立して制御されるべきであるにもかかわらず、上記構造ではモータ自体を共有しているために、必要な時に放熱機能を動作させることができず、効果的な放熱対策を実施することができない。一方、バイブレータ機能と放熱機能とを別々の構造体として設けた場合には携帯電話機全体のサイズが大きくなってしまう。そこで、サイズの増加を極力抑えながら効果的な放熱対策を実施することができる構造及び該構造を備える携帯電話機の提案が求められている。
【０００７】
本発明は、上記問題点に鑑みてなされたものであって、その主たる目的は、サイズの増加を極力抑え、効果的な放熱対策を実施することができる放熱機能を備えた携帯電話機を提供することにある。
【課題を解決するための手段】
【０００８】
上記目的を達成するために、本発明の携帯電話機は、シャフトの一方の端部に分銅が固定された、着信を報知するためのバイブレータ用モータを備える携帯電話機において、更に、シャフトの一方の端部にファンが固定された放熱用モータを備え、前記バイブレータ用モータと前記放熱用モータとは、各々の前記シャフトの回転軸が略一致し、各々の前記シャフトの他方の端部が向かい合うように配置され、かつ、前記バイブレータ用モータの筐体と前記放熱用モータの筐体とが一体となって形成されているものである。
【０００９】
また、本発明の携帯電話機は、シャフトの一方の端部に分銅が固定された、着信を報知するためのバイブレータ用モータを備える携帯電話機において、更に、シャフトの一方の端部にファンが固定された放熱用モータを備え、前記バイブレータ用モータと前記放熱用モータとは、各々の前記シャフトの回転軸が略一致し、各々の前記シャフトの他方の端部が向かい合うように配置され、前記バイブレータ用モータのシャフトの前記他方の端部を支持する軸受けと、前記放熱用モータのシャフトの前記他方の端部を支持する軸受けとが一体となって形成され、かつ、前記バイブレータ用モータの筐体と前記放熱用モータの筐体とが一体となって形成されているものである。
【００１０】
本発明においては、前記バイブレータ用モータ及び前記放熱用モータの各々に電源を供給するための電源端子を備え、該電源端子により前記バイブレータ用モータと前記放熱用モータとが独立して駆動される構成とすることができる。
【００１１】
このように、本発明の構成によれば、バイブレータ用モータと放熱用モータとを結合し、部品を共有してスペースを有効に利用することによりサイズの増加を極力抑えることができ、また、バイブレータ用モータと放熱用モータの各々に電源端子を設けてバイブレータ機能と放熱機能とを独立して制御可能にすることにより効果的な放熱対策を実施することができる。
【発明の効果】
【００１２】
以上説明したように、本発明の携帯電話機によれば、携帯電話機のサイズの増加を極力抑えて放熱機能を付加することができ、かつ、効果的な放熱対策を実施することができる。
【００１３】
その理由は、シャフトの一方の端部に分銅が固定された、着信を報知するためバイブレータ用モータを備える携帯電話機に、シャフトの一方の端部にファンが固定された放熱用モータを付加する際に、バイブレータ用モータと放熱用モータとを、各々のシャフトの回転軸が略一致し、他方の端部が向かい合うように配置し、かつ、バイブレータ用モータの筐体と放熱用モータの筐体とを一体化して形成しているため、部品を共有しスペースを有効に利用することができるからである。また、バイブレータ用モータ及び放熱用モータの各々に電源を供給するための電源端子を設けることにより、バイブレータ機能と放熱機能とを独立して制御することができるからである。
【００１４】
また、バイブレータ用モータのシャフトの他方の端部を支持する軸受けと放熱用モータのシャフトの他方の端部を支持する軸受けとを一体化することによって、更にサイズを縮小することができるからである。
【発明を実施するための最良の形態】
【００１５】
従来技術で説明したように、携帯電話機の多機能化、高性能化に伴って電子部品の発熱が問題になっているが、携帯電話機は小型化、軽量化、薄型化も求められているために、放熱のための機能を個別に追加することは難しいという問題があった。そこで、上記特許文献１では、バイブレータ用モータのシャフトの振動発生用分銅側又はその反対側に冷却フィンを設ける構造を開示しているが、この構造ではバイブレータ機能と放熱機能とを同時に動作させなければならず、必要な時にのみ放熱機能を動作させることができないという問題があった。
【００１６】
一般に、バイブレータ用モータは、図４に示すように、分銅４１が固定されるシャフト４２が軸受け４５ａと軸受け４５ｂとによって回転可能に支持され、また、シャフト４２には鉄芯４７とコイル巻線４８とコミュテータ４６とが固定され、ケース４３には磁石４４と軸受け４５ａ、４５ｂと電極端子５１ａ、５１ｂに接続されるブラシ５０ａ、５０ｂとが固定されている。ここで、バイブレータ用モータの分銅４１側（図の左側）の構造は任意に変更することはできないが、分銅４１と反対側（図の右側）の構造は変更可能であり、スペースや部品を有効に利用することができる。
【００１７】
そこで、本発明では、放熱機能を実現するための放熱用モータを独立して設けるのではなく、携帯電話機に予め設けられているバイブレータ用モータと放熱用モータとを連結して部品の共有化を図りスペースを有効に利用する。具体的には、バイブレータ用モータと放熱用モータとを、各々のシャフトの回転軸が略一致し、分銅とファンとが両外側になるように、磁石や鉄芯、コイル巻線、ブラシ、シャフト、軸受けなどの構成部材を配置し、これらを１つの筐体で保持し、各々のモータに電源を供給する電極端子を筐体の側面に個別に設ける。更に、バイブレータ用モータのシャフトの分銅と反対側の端部を支持する軸受けと放熱用モータのシャフトのファンと反対側の端部を支持する軸受けとを一体化する構造とする。
【００１８】
このように部品の共有化してスペースを有効に利用することにより、バイブレータ用モータと放熱用モータとを別々に設ける構造に比べてサイズの増加を抑えることができ、また、バイブレータ用モータと放熱用モータとを独立して制御可能にすることにより、効果的な放熱対策を実施することができる。
【実施例】
【００１９】
上記した本発明の実施の形態についてさらに詳細に説明すべく、本発明の一実施例に係る携帯電話機について、図１乃至図３を参照して説明する。図１は、本実施例に係る携帯電話機の機能を示すブロック図である。また、図２は、本実施例に係るバイブレータ用モータと放熱用モータとを一体化したモータの構造を模式的に示す断面図であり、図３は該モータの他の構造を模式的に示す断面図である。
【００２０】
図１に示すように、本実施例の携帯電話機１は、液晶表示素子やＥＬ発光素子などで形成された表示部３と、数字キーや方向キー、特殊機能キー等の複数のキーが配列されたキー操作部２と、電話の交信や電子メールの送受信などを行う無線通信部８及びアンテナ９と、電話や電子メールの着信があったことを振動で知らせるためのバイブレータ部１０と、内部の電子部品などを冷却するための放熱部１１と、音声の入出力や着信音の出力を行うスピーカ４及びマイク５と、各種設定値を記憶する内部記憶装置６と、カメラ機能や音楽再生機能などの各種機能を実現するための手段（例えば、カメラ部１２）と、時刻情報を生成する時計部１３と、これらを制御する制御部７などで構成されている。
【００２１】
そして、バイブレータ部１０には分銅を回転させるためのバイブレータ用モータを備え、放熱部１１にはファンを回転させるための放熱用モータを備え、これらのモータは、各々のシャフトの回転軸が略一致し、分銅とファンとが両外側になるように隣接して配置され、かつ、バイブレータ用モータの筐体と放熱用モータの筐体とが一体となって組み立てられている。
【００２２】
このモータの構造についてコアードモータを例にして説明する。図２に示すように、本実施例のモータ２０は、図の左側のバイブレータ用モータ２０ａと、図の右側の放熱用モータ２０ｂとで構成され、両モータは１つの筐体（ケース２３）によって保持、固定されている。また、分銅２１はシャフト２２ａに固定され、シャフト２２ａは軸受け２５ａと軸受け２５ｂにて回転可能に支持される。シャフト２２ａには、磁石２４ａやブラシ３０ａ、３０ｂと対になって分銅２１を回すモータとして機能する鉄芯２７ａとコイル巻線２８ａとコミュテータ２６ａとが固定される。さらに、軸受け２５ｂは軸受け２５ｃと共にもう一方のシャフ２２ｂを受ける構造となっており、このシャフト２２ｂの軸受け２５ｃ側の端部にファン３２が固定される。シャフト２２ｂには、磁石２４ｂやブラシ３０ｃ、３０ｄと対になってファン３２を回すモータとして機能する鉄心２７ｂとコイル巻線２８ｂとコミュテータ２６ｂとが固定される。また、それぞれのモータに電源が供給できるように、各ブラシ３０ａ、３０ｂ、３０ｃ、３０ｄには電極端子３１ａ、３１ｂ、３１ｃ、３１ｄが接続され、これらの電極端子３１ａ、３１ｂ、３１ｃ、３１ｄはケース２３の側面に取り付けられている。
【００２３】
なお、図２の構造は例示であり、各々のモータを構成する部材の形状や配置、ケース２３の形状などは適宜変更することができる。
【００２４】
このように、本実施例の携帯電話機１によれば、バイブレータ用モータ２０ａと放熱用モータ２０ｂとを、各々のシャフト２２ａ、２２ｂの回転軸が略一致し、分銅２１とファン３２とが両外側になるように隣接して配置し、バイブレータ用モータ２０ａのシャフト２２ａの分銅２１と反対側の端部を支持する軸受けと放熱用モータ２０ｂのシャフト２２ｂのファン３２と反対側の端部を支持する軸受けとを一体化して軸受け２５ｂとし、かつ、バイブレータ用モータ２０ａの筐体と放熱用モータ２０ｂの筐体とを一体化してケース２３とすることにより、部品を共有化してスペースを有効に利用することができ、放熱用モータ２０ｂを個別に設ける構造に比べてサイズの増加を抑えることができる。また、各々のモータのシャフト２２ａ及びシャフト２２ｂを分離し、各々のモータに電源端子３１ａ〜３１ｄを設けることにより、着信を報知するために分銅２１を回す機能と、放熱のためにファン３２を回すための機能とを独立して制御することができるため、着信の有無に関係なく冷却が必要な時に放熱機能を実現することができ、効果的な放熱対策を実施することができる。
【００２５】
なお、この放熱用モータ２０ｂはキー操作部２を操作することにより動作させることができるが、例えば、携帯電話機１のどの機能が動作しているかを制御部７が認識し、携帯電話機１の機能の中で発熱量の多い機能（例えば、カメラ機能）を動作させている時にその機能に連動して放熱用モータ２０ｂに電源を供給して放熱部１１を動作させるようにしてもよい。また、予め放熱部１１を動作させる時刻や時間間隔を設定して内部記憶手段６に記憶しておき、時計部１３からの時刻情報を参照して、所定の時刻になったり所定の時間が経過したら放熱用モータ２０ｂに電源を供給して放熱部１１を動作させるようにしてもよい。また、携帯電話機１に内部の温度を検出するための温度検出部を設け、内部の温度が所定の値以上になったら放熱用モータ２０ｂに電源を供給して放熱部１１を動作させるようにしてもよい。
【００２６】
また、図２では、バイブレータ用モータ２０ａと放熱用モータ２０ｂとで軸受け２５ｂを共有するようにしたが、本発明は、バイブレータ用モータ２０ａと放熱用モータ２０ｂとが、各々のシャフト２２ａ、２２ｂの回転軸が略一致し、分銅２１とファン３２とが両外側になるように隣接して配置され、かつ、バイブレータ用モータ２０ａの筐体と放熱用モータ２０ｂの筐体とが一体化された構造であればよく、例えば、図３に示すようにバイブレータ用モータ２０ａのシャフト２２ａを受ける軸受けと、放熱用モータ２０ｂのシャフト２２ｂを受ける軸受けと分離し、合計４個の軸受け３３ａ〜３３ｄを設ける構成としてもよく、このような構成でも同様の効果を得ることができる。
【００２７】
また、図２及び図３ではコアードモータについて記載したが、本発明は上記実施例の記載に限定されるものではなく、各々のモータをコアレスモータとしてもよいし、コアードモータとコアレスモータとを組合せる構成としてもよい。
【産業上の利用可能性】
【００２８】
本発明は携帯電話機に限らず、予めモータが取り付けられており、放熱機能の付加が求められる任意の小型携帯機器全般に対して同様に適用することができる。
【図面の簡単な説明】
【００２９】
【図１】本発明の一実施例に係る携帯電話機の機能を示すブロック図である。
【図２】本発明の一実施例に係るバイブレータ用モータと放熱用モータとが一体となったモータの構造を模式的に示す断面図である。
【図３】本発明の一実施例に係るバイブレータ用モータと放熱用モータとが一体となったモータの他の構造を模式的に示す断面図である。
【図４】従来のバイブレータ用モータの構造を示す断面図である。
【符号の説明】
【００３０】
１  携帯電話機
２  キー操作部
３  表示部
４  スピーカ
５  マイク
６  内部記憶手段
７  制御部
８  無線通信部
９  アンテナ
１０  バイブレータ部
１１  放熱部
１２  カメラ部など
１３  時計部
２０  モータ
２０ａ  バイブレータ用モータ
２０ｂ  放熱用モータ
２１、４１  分銅
２２ａ、２２ｂ、４２  シャフト
２３、４３  ケース
２４ａ、２４ｂ、４４  磁石
２５ａ〜２５ｃ、３３ａ〜３３ｄ、４５ａ、４５ｂ  軸受け
２６ａ、２６ｂ、４６  コミュテータ
２７ａ、２７ｂ、４７  鉄芯
２８ａ、２８ｂ、４８  コイル巻線
２９、４９  キャップ
３０ａ〜３０ｄ、５０ａ、５０ｂ  ブラシ
３１ａ〜３１ｄ、５１ａ、５１ｂ  電極端子
３２  ファン
【図１】
2006261720.tif 000003
【図２】
2006261720.tif 000004
【図３】
2006261720.tif 000005
【図４】
2006261720.tif 000006